(57)【要約】【課題】ファンの消費電力を抑制しつつ画像流れ現象を防止できる画像形成装置またはその制御方法を提供すること。【解決手段】画像形成装置１０において、制御部８は、画像形成部４の周辺の温度および湿度の計測結果を用いて、画像形成部４と定着部６との間を通過して画像形成部４から離れる経路に通風する第１ファン７１と、画像形成部４に通風する第２ファン７２とを個別に制御する。制御部８は、画像形成部４が動作中であるときの温度が予め定められた範囲内にある場合に、湿度が低い場合よりも高い場合の方が第１ファン７１をより高速で回転させる制御が可能である。【選択図】図１
2015206963.tif 000002
【特許請求の範囲】
【請求項１】
記録シート上に画像を形成する画像形成部と、
前記記録シート上に画像を加熱によって定着させる定着部と、
前記画像形成部の周辺の温度を計測する温度センサーと、
前記画像形成部の周辺の湿度を計測する湿度センサーと、
前記画像形成部と前記定着部との間を通過して前記画像形成部から離れる経路に通風する第１ファンと、
前記画像形成部に通風する第２ファンと、
前記温度センサーおよび前記湿度センサーの計測結果を用いて前記第１ファンおよび前記第２ファンを個別に制御するファン制御部と、を備え、
前記ファン制御部は、前記画像形成部が動作中であるときの前記温度センサーの計測結果が予め定められた範囲内にある場合に、前記湿度センサーの計測湿度が低い場合よりも高い場合の方が前記第１ファンをより高速で回転させる制御が可能である、画像形成装置。
【請求項２】
前記ファン制御部は、前記記録シートの両面への画像形成であるか否かの条件および連続して画像形成される前記記録シートの枚数の一方または両方と、前記温度センサーおよび前記湿度センサーの計測結果とを用いて、前記第１ファンおよび前記第２ファンを個別に制御する、請求項１に記載の画像形成装置。
【請求項３】
前記ファン制御部は、前記画像形成部が動作中であるときの前記温度センサーおよび前記湿度センサーの計測結果が予め定められた範囲内にある場合に、前記記録シートの両面へ連続して画像形成される前記記録シートの枚数が少ない場合よりも多い場合の方が前記第２ファンをより高速で回転させる制御が可能である、請求項２に記載の画像形成装置。
【請求項４】
前記ファン制御部は、前記第１ファンと前記第２ファンとを交互に回転および停止させる制御が可能である、請求項１から請求項３のいずれか１項に記載の画像形成装置。
【請求項５】
前記ファン制御部は、前記第１ファンおよび第２ファンの各々を停止状態および通風量の異なる複数の動作状態を含む少なくとも３つの通風状態のいずれかに選択的に制御する、請求項１から請求項４のいずれか１項に記載の画像形成装置。
【請求項６】
記録シート上に画像を形成する画像形成部と、
前記記録シート上に画像を加熱によって定着させる定着部と、
前記画像形成部の周辺の温度を計測する温度センサーと、
前記画像形成部の周辺の湿度を計測する湿度センサーと、
前記画像形成部と前記定着部との間を通過して前記画像形成部から離れる経路に通風する第１ファンと、
前記画像形成部に通風する第２ファンと、を備える画像形成装置の制御方法であって、
前記温度センサーおよび前記湿度センサーの計測結果を入力する入力ステップと、
前記温度センサーおよび前記湿度センサーの計測結果を用いて前記第１ファンおよび前記第２ファン各々の動作を個別に判定し、前記画像形成部が動作中であるときの前記温度センサーの計測結果が予め定められた範囲内にある場合に、前記湿度センサーの計測湿度が低い場合よりも高い場合の方が前記第１ファンをより高速で回転させる前記動作を判定する判定ステップと、
前記判定ステップの判定結果に従って前記第１ファンおよび前記第２ファン各々の制御信号を出力する出力ステップと、を含む画像形成装置の制御方法。
【発明の詳細な説明】
【技術分野】
【０００１】
本発明は、電子写真方式の画像形成装置およびその制御方法に関する。
【背景技術】
【０００２】
一般に、電子写真方式の画像形成装置は、記録シート上にトナーの画像を形成する画像形成部と、加熱によって記録シート上に画像を定着させる定着部とを備えている。そのような画像形成装置において、画像形成部の周辺の温度などの状況によって画像流れ現象が生じることが知られている。
【０００３】
画像流れ現象は、親水性の高い放電生成物が像担持体の表面に付着することによって像担持体の表面の電気抵抗が低下し、これにより静電潜像電荷が像担持体の表面に沿って移動してしまう現象である。
【０００４】
電子写真方式の画像形成装置において、装置内を冷却するために、換気ファンによって装置内の空気を排出することが考えられる。また、換気ファンの省電力化のために、画像形成装置内の温度の計測結果を用いて換気ファンの回転速度を制御することが知られている（例えば、特許文献１参照）。
【先行技術文献】
【特許文献】
【０００５】
【特許文献１】特開２００６−７８６８３号公報
【発明の概要】
【発明が解決しようとする課題】
【０００６】
ところで、画像形成装置において、換気ファンによって装置内を一定の温度以下に維持するだけでは、その他の状況の変化に起因して画像流れ現象が生じてしまうおそれがある。また、画像流れ現象の防止のために画像形成装置内の温度をより低い温度に維持すると、ファンの消費電力が増大してしまう。
【０００７】
本発明の目的は、ファンの消費電力を抑制しつつ画像流れ現象を防止できる画像形成装置およびその制御方法を提供することにある。
【課題を解決するための手段】
【０００８】
本発明の一の局面に係る画像形成装置は、画像形成部と、定着部と、温度センサーと、湿度センサーと、第１ファンと、第２ファンと、ファン制御部とを備える。前記画像形成部は、記録シート上に画像を形成する。前記定着部は、前記記録シート上に画像を加熱によって定着させる。前記温度センサーは、前記画像形成部の周辺の温度を計測する。前記湿度センサーは、前記画像形成部の周辺の湿度を計測する。前記第１ファンは、前記画像形成部と前記定着部との間を通過して前記画像形成部から離れる経路に通風する。前記第２ファンは、前記画像形成部に通風する。前記ファン制御部は、前記温度センサーおよび前記湿度センサーの計測結果を用いて前記第１ファンおよび前記第２ファンを個別に制御する。前記ファン制御部は、前記画像形成部が動作中であるときの前記温度センサーの計測結果が予め定められた範囲内にある場合に、前記湿度センサーの計測湿度が低い場合よりも高い場合の方が前記第１ファンをより高速で回転させる制御が可能である。
【０００９】
本発明の他の局面に係る画像形成装置の制御方法は、前記画像形成部と前記定着部と前記温度センサーと前記湿度センサーと前記第１ファンと前記第２ファンと前記ファン制御部とを備える前記画像形成装置の制御方法である。本制御方法は、入力ステップと判定ステップと出力ステップとを含む。前記入力ステップは、前記温度センサーおよび前記湿度センサーの計測結果を入力するステップである。前記判定ステップは、前記温度センサーおよび前記湿度センサーの計測結果を用いて前記第１ファンおよび前記第２ファン各々の動作を個別に判定し、前記画像形成部が動作中であるときの前記温度センサーの計測結果が予め定められた範囲内にある場合に、前記湿度センサーの計測湿度が低い場合よりも高い場合の方が前記第１ファンをより高速で回転させる前記動作を判定するステップである。前記出力ステップは、前記判定ステップの判定結果に従って前記第１ファンおよび前記第２ファン各々の制御信号を出力するステップである。
【発明の効果】
【００１０】
本発明によれば、ファンの消費電力を抑制しつつ画像流れ現象を防止することが可能な画像形成装置およびその制御方法を提供することが可能になる。
【図面の簡単な説明】
【００１１】
【図１】図１は、本発明の実施形態に係る画像形成装置の構成図である。
【図２】図２は、本発明の実施形態に係る画像形成装置におけるファン制御の関連機器のブロック図である。
【図３】図３は、本発明の実施形態に係る画像形成装置の制御部が実行するファン制御処理の第１例の手順を示すフローチャートである。
【図４】図４は、本発明の実施形態に係る画像形成装置の制御部が判定するファン制御ルールの第１例を示す図である。
【図５】図５は、本発明の実施形態に係る画像形成装置の制御部が実行するファン制御処理の第２例の手順を示すフローチャートである。
【図６】図６は、本発明の実施形態に係る画像形成装置の制御部が判定するファン制御ルールの第２例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［画像形成装置１０の概略構成］  本発明の実施形態に係る前記画像形成装置１０は、電子写真方式の画像形成装置である。図１が示すように、前記画像形成装置１０は、筐体１００内にシート供給部２、シート搬送部３、画像形成部４、光走査部５、定着部６、温度センサー８０１、湿度センサー８０２、第１ファン７１、第２ファン７２および制御部８などを備える。
【００１４】
なお、前記画像形成装置１０は、例えば、プリンター、コピー機、ファクシミリーまたは複合機などである。
【００１５】
前記シート供給部２は、前記筐体１００に着脱可能なシートカセット２１と、前記シートカセット２１に収容された記録シート９を前記画像形成部４へ送り出すシート送出部２２とを備える。記録シート９は、紙、コート紙、ハガキ、封筒、およびＯＨＰシートなどのシート状の画像形成媒体である。
【００１６】
前記シート送出部２２は、ピックアップローラー２２１と送出ローラー２２２とを備える。前記シート送出部２２は、記録シート９を１枚ずつ前記シートカセット２１内からピックアップするとともに、その記録シート９をさらにシート搬送部３の第１搬送路３０１へ送り出す。
【００１７】
前記シート搬送部３は、レジストローラー３１、搬送ローラー３２および排出ローラー３３などを備える。前記レジストローラー３１および前記搬送ローラー３２が、記録シート９を前記第１搬送路３０１から第２搬送路３０２へ搬送し、さらに、排出ローラー３３が画像形成後の前記記録シート９を第２搬送路３０２の排出口３０４から排出トレイ１０１上へ排出する。
【００１８】
前記画像形成装置１０は、片面出力モードおよび両面出力モードを含む複数の動作モードで動作可能である。片面出力モードは、記録シート９の片面にのみ画像形成を行う動作モードであり、両面出力モードは、記録シート９の両面各々に画像形成を行う動作モードである。
【００１９】
両面出力モードにおいて、前記シート搬送部３は、記録シート９を前記第２搬送路３０２から第３搬送路３０３を経由させて再び前記第１搬送路３０１へ戻した後、前記第２搬送路３０２から前記排出トレイ１０１へ排出する。これにより、前記第１搬送路３０１における前記記録シート９の向きは、１回目と２回目とで表裏反転する。
【００２０】
前記画像形成部４は、前記第１搬送路３０１を移動中の前記記録シート９の表面に画像を形成する。前記画像形成部４は、ドラム状の感光体４１、帯電装置４２、現像装置４３、転写装置４５およびクリーニング装置４７などを備える。なお、前記感光体４１は像担持体の一例である。
【００２１】
前記感光体４１が回転し、前記帯電装置４２が前記感光体４１の表面を一様に帯電させる。さらに、前記光走査部５がレーザー光を走査することにより帯電した前記感光体４１の表面に静電潜像を書き込み、前記現像装置４３が前記感光体４１にトナーを供給することにより、前記静電潜像をトナー像へ現像する。
【００２２】
さらに、前記転写装置４５が、前記感光体４１の前記トナー像を前記第１搬送路３０１を移動中の前記記録シート９に転写する。最後に、前記クリーニング装置４７が前記感光体４１表面に残存する前記トナーを除去する。
【００２３】
前記定着部６は、ハロゲンヒーターなどのヒーター６１０を内包する定着ローラー６１と加圧ローラー６２との間に前記トナー像が形成された前記記録シート９を挟み込み、後工程へ送り出す。これにより、前記定着部６は、前記記録シート９上の前記トナー像（画像）を加熱し、前記記録シート９上に画像を定着させる。
【００２４】
前記第１ファン７１は、前記画像形成部４と前記定着部６との間の領域を通過して前記画像形成部４から離れる経路に通風するファンである。以下、前記画像形成部４と前記定着部６との間の領域のことを中間領域Ａ１と称する。
【００２５】
例えば、前記筐体１００の一の側壁における前記光走査部５の近傍に第１吸気口７１０が形成されており、その反対側の側壁に形成された排気口に向けて前記第１ファン７１が取り付けられている。さらに、前記画像形成装置１０内には、前記第１吸気口７１０から前記光走査部５の配置領域と前記中間領域Ａ１とを経て前記第１ファン７１に至る通風経路が隔壁などによって形成されている。この場合、前記第１ファン７１が作動すると、外気が前記第１吸気口７１０から前記光走査部５の周辺に流れ込み、その空気がさらに前記光走査部５の下方の前記中間領域Ａ１および前記第１ファン７１を経て装置外へ排出される。
【００２６】
なお、上記はあくまで一例であり、前記第１ファン７１の通風経路が、前記中間領域Ａ１を通過して前記画像形成部４から離れる他の経路であることも考えられる。
【００２７】
一方、前記第２ファン７２は、前記画像形成部４に通風するファンである。例えば、前記筐体１００の一の側壁における前記画像形成部４の近傍に第２吸気口７２０が形成されており、その反対側の側壁に形成された排気口に向けて前記第２ファン７２が取り付けられている。この場合、前記第２ファン７１が作動すると、外気が前記第２吸気口７２０から前記画像形成部４が配置された領域に流れ込み、その空気がさらに前記画像形成部４を通過した後に前記第２ファン７２を経て装置外へ排出される。
【００２８】
なお、上記はあくまで一例であり、前記第２ファン７２の通風経路が、前記画像形成部４を通過する他の経路であることも考えられる。
【００２９】
前記温度センサー８０１は、前記画像形成部４の周辺の温度を計測するセンサーである。また、前記湿度センサー８０２は、前記画像形成部４の周辺の湿度を計測するセンサーである。前記温度センサー８０１および前記湿度センサー８０２は、前記定着部６よりも前記画像形成部４の前記感光体４１に近い位置に固定されている。例えば、前記温度センサー８０１および前記湿度センサー８０２が、前記第１ファン７１の通風経路における前記中間領域Ａ１よりも前記感光体４１側の位置に配置される。
【００３０】
前記温度センサー８０１は、例えばサーミスターなどである。また、前記湿度センサー８０２は、例えば高分子容量式湿度センサーまたは高分子抵抗式湿度センサーなどである。また、前記温度センサー８０１および前記湿度センサー８０２が一体化された温湿度センサーが採用されることも考えられる。
【００３１】
前記制御部８は、前記第１ファン７１および前記第２ファン７２を含む前記画像形成装置１０の電気機器を制御する。例えば、図２が示すように、前記制御部８は、マイクロプロセッサーユニット８１（ＭＰＵ８１）、記憶部８２、信号インターフェイス８３およびファンドライバー８４を備えている。なお、前記制御部８はファン制御部の一例である。
【００３２】
前記ＭＰＵ８１は、各種の演算処理を実行するプロセッサーである。前記記憶部８２は、前記ＭＰＵ８１に各種の処理を実行させるための制御プログラムＰｒ１，Ｐｒ２，Ｐｒ３，Ｐｒ４などの情報が予め記憶される不揮発性の記憶部である。さらに、前記記憶部８２は、前記ＭＰＵ８１による各種情報の読み書きが可能な記憶部でもある。
【００３３】
前記制御部８は、前記ＭＰＵ８１が前記記憶部８２に予め記憶された各種の制御プログラムＰｒ１，Ｐｒ２，Ｐｒ３，Ｐｒ４を実行することにより前記画像形成装置１０を統括的に制御する。
【００３４】
前記信号インターフェイス８３は、前記ＭＰＵ８１とセンサーおよび制御対象機器との間の信号の受け渡しを中継するインターフェイス回路である。前記ＭＰＵ８１は、前記信号インターフェイス８３を介して前記温度センサー８０１および前記湿度センサー８０２などの各種のセンサーの検出信号（計測信号）を入力する。さらに、前記ＭＰＵ８１は、前記信号インターフェイス８３を介して制御信号を出力する。
【００３５】
前記ファンドライバー８４は、前記ＭＰＵ８１から前記信号インターフェイス８３を介して出力される制御信号に従って、前記第１ファン７１および前記第２ファン７２の各々に対して個別に駆動信号および停止信号を出力する回路である。即ち、前記ＭＰＵ８１は、前記信号インターフェイス８３および前記ファンドライバー８４を介して前記第１ファン７１および前記第２ファン７２を個別に制御可能である。
【００３６】
また、前記ファンドライバー８４は、前記ＭＰＵ８１の制御指令に従って、前記第１ファン７１および第２ファン７２の各々を停止状態および通風量の異なる複数の動作状態を含む少なくとも３つの通風状態のいずれかに選択的に制御可能である。本実施形態においては、前記ファンドライバー８４は、前記第１ファン７１および第２ファン７２の各々を停止状態、低速回転状態および高速回転状態の３の動作状態（通風状態）のいずれかに選択的に制御可能である。
【００３７】
なお、前記制御部８は、ファン以外の制御対象機器を駆動する不図示の他の回路（ドライバー）も備えている。前記ＭＰＵ８１は、前記信号インターフェイス８３および他のドライバーを介して他の制御対象機器を制御する。
【００３８】
ところで、前記画像形成装置１０において、筐体１００内の機器を冷却するために、前記第１ファン７１および前記第２ファン７２などの換気ファンによって装置内の空気を排出することが考えられる。また、前記第１ファン７１および前記第２ファン７２の省電力化のために、前記温度センサー８０１の計測結果を用いて、前記第１ファン７１および前記第２ファン７２の回転速度を制御することも考えられる。
【００３９】
但し、前記第２ファン７２などによって前記画像形成装置１０内を一定の温度以下に維持するだけでは、その他の状況の変化に起因して画像流れ現象が生じてしまうおそれがある。また、画像流れ現象の防止のために画像形成装置１０内の温度をより低い温度に維持すると、ファンの消費電力が増大してしまう。一方、以下に示されるように、本実施形態によれば、前記第１ファン７１および前記第２ファン７２の消費電力を抑制しつつ画像流れ現象を防止できる前記画像形成装置１０およびその制御方法を提供することが可能である。
【００４０】
［ファンの制御方法（第１例）］  続いて、図３，４を参照しつつ、前記画像形成装置１０において前記制御部８が実行するファン制御処理の第１例について説明する。図３は、前記制御部８が実行するファン制御処理の第１例の手順を示すフローチャートである。図４は、前記制御部８が前記ファン制御処理において判定するファン制御ルールの第１例を示す図である。
【００４１】
前記制御部８は、前記画像形成装置１０による画像形成処理が開始されるときに、図３が示す処理を開始する。以下の説明において、Ｓ１，Ｓ２，・・・は、処理手順の識別符号を表す。なお、以下に示される前記制御部８の処理は、前記ＭＰＵ８１が前記記憶部８２に記憶された制御プログラムを実行することによって実現される。
【００４２】
＜ステップＳ１＞  まず、前記制御部８は、前記温度センサー８０１および前記湿度センサー８０２の計測結果を入力する。このステップＳ１は、前記ＭＰＵ８１が情報入力プログラムＰｒ１を実行するステップであり、入力ステップの一例である。前記情報入力プログラムＰｒ１を実行する前記ＭＰＵ８１は、両センサー８０１，８０２の計測結果を入力する入力処理部である。
【００４３】
以下の説明において、前記温度センサー８０１の計測結果のことを計測温度と称し、前記湿度センサー８０２の計測結果のことを計測湿度と称する。
【００４４】
＜ステップＳ２＞  次に、前記制御部８は、ステップＳ１で得た計測結果を用いて前記第１ファン７１および前記第２ファン７１各々の動作を個別に判定する。このステップＳ２は、前記ＭＰＵ８１が第１判定プログラムＰｒ２を実行するステップである。前記第１判定プログラムＰｒ２を実行する前記ＭＰＵ８１は、両ファン７１，７２の動作を個別に判定する判定処理部である。
【００４５】
例えば、前記制御部８は、図４に示される制御ルールに従って前記第１ファン７１および前記第２ファン７２各々の動作を決定する。図４は、前記制御部８が、優先順位が１番から８番までの９つの温湿度条件を順次判定し、最初に適合した条件に対応する前記第１ファン７１および前記第２ファン７２の動作の組み合わせを、両ファンの動作パターンとして決定する制御ルールを表す。
【００４６】
図４が示す例では、前記優先順位が１番の前記温湿度条件は、前記計測温度が２０℃以上２５℃未満であり、かつ、前記計測湿度が４０％未満である、という条件である。この条件が成立すれば、前記制御部８は、前記第１ファン７１を停止に設定するとともに、前記第２ファン７２を低速回転に設定する。
【００４７】
前記優先順位が２番の前記温湿度条件は、前記計測温度が２０℃未満であり、かつ、前記計測湿度が４０％以上６０％未満である、という条件である。この条件が成立すれば、前記制御部８は、前記第１ファン７１を低速回転に設定するとともに、前記第２ファン７２を停止に設定する。
【００４８】
前記優先順位が３番の前記温湿度条件は、前記計測温度が２５℃以上３０℃未満であり、かつ、前記計測湿度が０％以上４０％未満である、という条件である。この条件が成立すれば、前記制御部８は、前記第１ファン７１を停止に設定するとともに、前記第２ファン７２を高速回転に設定する。
【００４９】
前記優先順位が４番の前記温湿度条件は、前記計測温度が３０℃未満であり、かつ、前記計測湿度が６０％以上である、という条件である。この条件が成立すれば、前記制御部８は、前記第１ファン７１を高速回転に設定するとともに、前記第２ファン７２を停止に設定する。
【００５０】
前記優先順位が５番の前記温湿度条件は、前記計測温度が２０℃以上２５℃未満であり、かつ、前記計測湿度が４０％以上６０％未満である、という条件である。この条件が成立すれば、前記制御部８は、前記第１ファン７１を低速回転に設定するとともに、前記第２ファン７２を低速回転に設定する。
【００５１】
前記優先順位が６番の前記温湿度条件は、前記計測温度が２５℃以上３０℃未満であり、かつ、前記計測湿度が４０％以上６０％未満である、という条件である。この条件が成立すれば、前記制御部８は、前記第１ファン７１を低速回転に設定するとともに、前記第２ファン７２を高速回転に設定する。
【００５２】
前記優先順位が７番の前記温湿度条件は、前記計測温度が３０℃未満であり、かつ、前記計測湿度が６０％以上である、という条件である。この条件が成立すれば、前記制御部８は、前記第１ファン７１を高速回転に設定するとともに、前記第２ファン７２を低速回転に設定する。
【００５３】
前記優先順位が８番の前記温湿度条件は、前記計測温度が３０℃以上であり、かつ、前記計測湿度が６０％以上である、という条件である。この条件が成立すれば、前記制御部８は、前記第１ファン７１を高速回転に設定するとともに、前記第２ファン７２を高速回転に設定する。
【００５４】
図４が示す制御ルールにおいて、判定順序が先の前記温湿度条件ほど、即ち、前記優先順位の番号が小さな前記温度条件ほど、それに対応する前記動作パターンで動作する前記第１ファン７１および前記第２ファン７２の合計消費電力が小さい。
【００５５】
図４が示す制御ルールが採用される場合、前記制御部８は、前記画像形成部４が動作中であるときの前記計測温度が例えば２０℃以上３０℃未満の範囲内にある場合に、前記湿度センサーの計測湿度が低い場合よりも高い場合の方が前記第１ファン７１をより高速で回転させる制御を行う。なお、このような判定が行われるステップＳ２は、判定ステップの一例である。前記温湿度条件における前記計測温度および前記計測湿度のしきい値はあくまで一例である。
【００５６】
＜ステップＳ３＞  次に、前記制御部８は、ステップＳ２（判定ステップ）の判定結果に従って前記第１ファン７１および前記第２ファン７２各々の制御信号を出力する。このステップＳ３は、前記ＭＰＵ８１が信号出力プログラムＰｒ３を実行するステップであり、出力ステップの一例である。前記信号出力プログラムＰｒ３を実行する前記ＭＰＵ８１は、両ファン７１，７２を個別に制御するファン制御処理部である。
【００５７】
＜ステップＳ４＞  次に、前記制御部８は、予め定められた待機条件が成立しているか否かを判定する。前記待機条件は、例えば、画像形成処理の終了後、予め定められた時間が経過するまで新たな画像形成ジョブが発生しない状態が継続することなどである。このステップＳ４および次のステップＳ５は、前記ＭＰＵ８１が第２判定プログラムＰｒ４を実行するステップである。前記ステップＳ５の処理を実行する前記ＭＰＵ８１は、画像形成装置１０の待機状態への移行を制御する待機処理部である。
【００５８】
＜ステップＳ５＞  そして、前記制御部８は、前記待機条件が成立しない期間、以上に示したステップＳ１からステップＳ５までの処理を随時繰り返す。例えば、前記制御部８は、一定時間の経過ごとに、あるいは前記計測温度もしくは前記計測湿度に変化が生じるごとに、ステップＳ１からステップＳ５までの処理を実行する。
【００５９】
＜ステップＳ６＞  また、前記制御部８は、前記待機条件が成立したと判定すると、前記第１ファン７１および前記第２ファン７２の両方を停止させ、前記待機状態へ移行する。そして、予め定められた復帰条件が成立すると、前記制御部８は、ステップＳ１からの処理を開始する。ステップＳ６は、前記ＭＰＵ８１が信号出力プログラムＰｒ３を実行するステップであり、出力ステップの一例である。
【００６０】
以上に示した画像形成装置１０が採用される場合、画像形成中に前記第１ファン７１および前記第２ファン７２が常時動作する場合に比べ、ファンの消費電力が抑制される。また、前記第１ファン７１および前記第２ファン７２が風量の異なる複数の通風状態にきめ細かく制御されるため、より省電力効果が高まる。
【００６１】
また、前記計測温度が比較的低い場合であっても、前記計測湿度が比較的高い場合には、前記定着部６において加熱された前記記録シート９から蒸発する水分（湿気）がさらに加わることによって画像流れが生じやすい。そのような場合に、前記制御部８は、前記第１ファン７１を回転させることによって前記記録シート９から生じた湿気を含む空気を前記画像形成部４から遠ざかる方向へ吹き飛ばす。これにより、ファンの電力消費を抑制しつつ画像流れ現象が生じることを防ぐことができる。
【００６２】
［ファンの制御方法（第２例）］  次に、図５，６を参照しつつ、前記画像形成装置１０において前記制御部８が実行するファン制御処理の第２例について説明する。図５は、前記制御部８が実行するファン制御処理の第２例の手順を示すフローチャートである。図６は、前記制御部８が前記ファン制御処理において判定するファン制御ルールの第２例を示す図である。
【００６３】
前記制御部８は、前記画像形成装置１０による画像形成処理が開始されるときに、図４が示す処理を開始する。以下の説明において、Ｓ１１，Ｓ１２，・・・は、処理手順の識別符号を表す。なお、以下に示される前記制御部８の処理は、前記ＭＰＵ８１が前記記憶部８２に記憶された制御プログラムを実行することによって実現される。
【００６４】
前記ファン制御処理の第２例において、前記制御部８は、前記画像形成部４による画像形成の動作モードが前記両面出力モードであるか否かの条件および連続して画像形成される前記記録シート９の枚数と、前記計測温度および前記計測湿度とを用いて、前記第１ファン７１および前記第２ファン７２を個別に制御する。
【００６５】
＜ステップＳ１１＞  まず、前記制御部８は、第１例のステップＳ１と同様に、前記温度センサー８０１および前記湿度センサー８０２の計測結果である前記計測温度および前記計測湿度を入力する。
【００６６】
＜ステップＳ１２＞  さらに、前記制御部８は、画像形成ジョブの情報を参照することにより、前記画像形成部４の前記動作モードが前記両面出力モードおよび前記片面出力モードのいずれであるかを判定する。このステップＳ１２は、前記ＭＰＵ８１が前記第２判定プログラムＰｒ４を実行するステップである。
【００６７】
＜ステップＳ１３＞  さらに、前記制御部８は、連続して画像形成される前記記録シート９の枚数をカウントする。以下、このカウント枚数のことを連続出力枚数と称する。このステップＳ１３は、前記ＭＰＵ８１が前記第２判定プログラムＰｒ４を実行するステップである。前記ステップＳ１２，Ｓ１３の処理を実行する前記ＭＰＵ８１は、画像形成の動作状態を認識する認識処理部である。
【００６８】
なお、ステップＳ１１〜Ｓ１３の処理が、他の順序で実行されること、または並行して行われることも考えられる。また、前記動作モードが前記両面出力モードである場合、前記記録シート９が連続的に前記画像形成部４を通過する回数は、前記連続出力枚数の２倍の回数である。
【００６９】
＜ステップＳ１４＞  次に、前記制御部８は、ステップＳ１１で得た計測結果およびステップＳ１２，Ｓ１３で得た前記画像形成部４の動作状態を用いて前記第１ファン７１および前記第２ファン７１各々の動作を個別に判定する。このステップＳ１４は、前記ＭＰＵ８１が第１判定プログラムＰｒ２を実行するステップであり、判定ステップの一例である。
【００７０】
例えば、前記制御部８は、図６に示される制御ルールに従って前記第１ファン７１および前記第２ファン７２各々の動作を決定する。図６は、前記制御部８が、優先順位が１番から９番までの９つの判定条件を順次判定し、最初に適合した前記判定条件に対応する前記第１ファン７１および前記第２ファン７２の動作の組み合わせを、両ファンの動作パターンとして決定する制御ルールを表す。
【００７１】
図６が示す例において、１番から８番までの前記優先順位ごとの前記判定条件は、前記温湿度条件と前記画像形成部４の動作状態の条件との論理積である。  
【００７２】
図６が示す例において、前記優先順位が１番から８番までの前記温湿度条件各々は、図４が示す前記温湿度条件各々と比較して、前記計測温度および前記計測湿度のしきい値が若干異なるものの、それらしきい値に基づいて前記計測温度および前記計測湿度の範囲を表す点において同様の条件である。
【００７３】
また、図６が示す例において、前記優先順位ごとに設定される前記第１ファン７１および前記第２ファン７２の動作パターンは、図４が示す例と同じである。さらに、図６が示す制御ルールにおいて、前記優先順位の番号が小さな前記温度条件ほど、それに対応する前記動作パターンで動作する前記第１ファン７１および前記第２ファン７２の合計消費電力が小さい。
【００７４】
図６が示す例において、前記優先順位が１番および３番の前記動作状態の条件は、前記動作モードが前記両面出力モードであるか否かに関わらず、前記連続出力枚数が５枚未満または２０枚未満程度のごく少ない枚数である、という条件である。
【００７５】
また、優先順位が２番、４番および８番の前記動作状態の条件は、前記動作モードが前記片面出力モードである場合において前記連続出力枚数が所定のしきい値（３００枚および５００枚）を基準にしていずれの範囲に属するかを表す条件である。
【００７６】
また、優先順位が５番、６番、７番および８番の前記動作状態の条件は、前記動作モードが前記両面出力モードである場合において前記連続出力枚数が所定のしきい値（５０枚および２００枚）を基準にしていずれの範囲に属するかを表す条件である。
【００７７】
なお、同じ優先順位において前記片面出力モードの条件と前記両面出力モードの条件とが設定されている場合、前記動作状態の条件がそれらの論理和によって判定される。
【００７８】
図６が示す制御ルールが採用される場合、前記制御部８は、前記画像形成部４が動作中であるときの前記計測温度および前記計測湿度が同じ条件の範囲内にある場合に、前記両面出力モードでの前記連続出力枚数が少ない場合よりも多い場合の方が前記第２ファン７２をより高速で回転させるファン制御を行う。
【００７９】
図６が示す例では、前記計測温度が２０℃以上３０℃未満であり、かつ、前記計測湿度が４０％未満である場合と、前記計測温度が２０℃以上３０℃未満であり、かつ、前記計測湿度が４０％以上６０％未満である場合と、前記計測温度が３０℃未満であり、かつ、前記計測湿度が１００％未満である場合との各々において、前記両面出力モードでの前記連続出力枚数に応じた前記ファン制御が行われる。なお、前記温湿度条件および前記動作状態の条件におけるしきい値はあくまで一例である。
【００８０】
図６が示す前記制御ルールが採用される場合、前記画像形成部４の前記動作状態の条件は、前記温湿度条件を補完する条件として作用する。
【００８１】
例えば、前記連続出力枚数が多い場合、前記計測温度がファンの冷却効果によって比較的低く抑えられていても、実際の前記画像形成部４の温度はそれより高い状態になっていることが考えられる。これに対し、前記第２ファン７２の通風量が、前記連続出力枚数の増大に応じて増やされれば、画像流れなどの画像不良を防止することができる。
【００８２】
また、前記連続出力枚数が同等の条件の下では、前記動作モードが前記両面出力モードである場合の方が、前記動作モードが前記片面出力モードである場合よりも前記画像形成部４の実際の温度がより高温になりやすい。
【００８３】
従って、前記温湿度条件および前記連続出力枚数の条件が同等である条件の下では、前記動作モードが前記両面出力モードである場合に、前記動作モードが前記片面出力モードである場合に比べ、相対的に前記第２ファン７２の通風量を大きくすることが考えられる。これにより、前記画像形成部４の高温化を防止できる。
【００８４】
また、前記動作モードが前記両面出力モードである場合、前記記録シート９各々が前記定着部６を２回ずつ通過する。そのため、前記連続出力枚数の条件が同等である条件の下では、前記記録シート９１枚あたりの蒸発水分量は、前記片面出力モードであるときよりも前記両面出力モードであるときの方が多い。そのため、前記連続出力枚数の条件が同等である条件の下では、前記動作モードが前記両面出力モードである場合に、前記動作モードが前記片面出力モードである場合に比べ、相対的に前記第１ファン７１の通風量を大きくすることが考えられる。これにより、画像流れ現象の発生を防止できる。
【００８５】
なお、前記記録シート９各々の第２面（うら面）の画像定着時の前記記録シート９からの蒸発水分量は、前記記録シート９各々の第１面（おもて面）の画像定着時のそれに比べて少ない。
【００８６】
[その他の応用例]  以上に示された実施形態において、前記制御部８が、前記第１ファン７１と前記第２ファン７２とを交互に回転および停止させる制御を行うことが考えられる。このような交互動作の制御は、例えば、図４または図６の前記制御ルールに従って前記第１ファン７１および前記第２ファン７２の両方を高速回転させる前記動作パターンが設定された場合などに適用される。
【００８７】
また、前記制御部８が、前記第１ファン７１および前記第２ファン７２の一方または両方について、回転および停止が順次連続する間欠動作制御を行うことも考えられる。例えば、このような間欠動作制御は、例えば、図４または図６の前記制御ルールに従って前記第１ファン７１および前記第２ファン７２のいずれか一方のみを高速回転させる前記動作パターンが設定された場合などに適用される。
【００８８】
なお、本発明に係る画像形成装置およびその制御方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００８９】
２      ：シート供給部
３      ：シート搬送部
４      ：画像形成部
５      ：光走査部
６      ：定着部
８      ：制御部（ファン制御部）
９      ：記録シート
１０    ：画像形成装置
２１    ：シートカセット
２２    ：シート送出部
３１    ：レジストローラー
３２    ：搬送ローラー
３３    ：排出ローラー
４１    ：感光体
４２    ：帯電装置
４３    ：現像装置
４５    ：転写装置
４７    ：クリーニング装置
６１    ：定着ローラー
６２    ：加圧ローラー
７１    ：第１ファン
７２    ：第２ファン
８１    ：マイクロプロセッサーユニット（ＭＰＵ）
８２    ：記憶部
８３    ：信号インターフェイス
８４    ：ファンドライバー
１００  ：筐体
１０１  ：排出トレイ
２０１  ：第１搬送路
２２１  ：ピックアップローラー
２２２  ：送出ローラー
３０１  ：第１搬送路
３０２  ：第２搬送路
３０３  ：第３搬送路
３０４  ：排出口
６１０  ：ヒーター
７１０  ：第１吸気口
７２０  ：第２吸気口
８０１  ：温度センサー
８０２  ：湿度センサー
Ａ１    ：中間領域
Ｐｒ１  ：情報入力プログラム
Ｐｒ２  ：第１判定プログラム
Ｐｒ３  ：信号出力プログラム
Ｐｒ４  ：第２判定プログラム
【図１】
2015206963.tif 000003
【図２】
2015206963.tif 000004
【図３】
2015206963.tif 000005
【図４】
2015206963.tif 000006
【図５】
2015206963.tif 000007
【図６】
2015206963.tif 000008